(57)【特許請求の範囲】
【請求項１】
位置スタンプ方法において、
携帯型装置が、特定の位置および時刻においてファイル内容を作成するステップと、  無線受信機が、前記特定の位置および時刻において前記携帯型装置によって検出可能な無線通信装置からデータを入手し、それにより、前記無線通信装置を識別するか、またはその識別を可能にする、データの集合を入手するステップと、
第１のプロセッサが、前記データの集合および前記時刻を前記ファイル内容に関連付けるステップと、
後に、第２のプロセッサが、前記特定の位置を決定するために時間依存データベースを用いて、前記データの集合と前記時刻を解析するステップと、前記第２のプロセッサが、前記ファイル内容と前記決定した位置とを含むファイルを生成するステップと、
を含み、
前記時間依存データベースは参照データを格納し、前記参照データは、前記無線通信装置の識別情報と、前記無線通信装置の観測に関連する参照位置と、前記観測に関連する時刻およびデータとを含み、
前記特定の位置は、大体前記ファイル内容に関連する時刻における前記時間依存データベースにおける前記参照データに基づいて決定する、方法。
【請求項２】
前記データの集合は、前記検出可能な無線通信装置の装置識別情報の集合を含む請求項１に記載の方法。
【請求項３】
前記データの集合は、前記検出可能な無線通信装置の装置識別情報の集合を決定するために解析できるデータを含む請求項１に記載の方法。
【請求項４】
ファイル内容を作成するステップは、画像を取り込むこと、および対応する画像ファイルを保存することを含む請求項１ないし３のいずれか一項に記載の方法。
【請求項５】
前記ファイル内容に関連付けられた前記時刻は、時刻および日付を含む請求項１ないし４のいずれか一項に記載の方法。
【請求項６】
前記データの集合は、前記無線通信装置の送信の信号強度、信号対雑音比、ドップラー、および誤り率をさらに含む請求項１ないし５のいずれか一項に記載の方法。
【請求項７】
前記データの集合を前記ファイル内容に関連付けるステップは、前記データをファイル構造体に埋め込むことを含む請求項１ないし６のいずれか一項に記載の方法。
【請求項８】
前記携帯型装置によって検出可能な無線通信装置からデータを入手するステップが第２の携帯型装置により実行される請求項１ないし７のいずれか一項に記載の方法。
【請求項９】
前記解析は、
前記データの集合を入手するために別の時刻に前記携帯型装置によって実行されるか、または前記ファイル内容および関連付けられた情報が提供されるコンピュータ・システム上で実行される請求項１ないし８のいずれか一項に記載の方法。
【請求項１０】
位置スタンプシステムにおいて、
特定の位置および時刻でファイル内容を作成するための携帯型装置と、
無線通信信号を検出し、前記特定の位置で前記携帯型装置によって検出可能な無線通信装置からデータを入手し、それにより前記無線通信装置を識別するかまたはその識別を可能にする、データの集合を入手するための無線受信機と、
前記データの集合と前記時刻を前記ファイル内容に関連付けるための第１のプロセッサと、
後に前記特定の位置を決定するために時間依存データベースを用いて、前記データの集合と前記時刻を解析し、前記ファイル内容と前記決定した位置とを含むファイルを生成する、第２のプロセッサと、を備え、
前記時間依存データベースは参照データを格納し、前記参照データは、前記無線通信装置の識別情報と、前記無線通信装置の観測に関連する参照位置と、前記観測に関連する時刻およびデータとを含み、
前記特定の位置は、大体前記ファイル内容に関連する時刻における前記時間依存データベースにおける参照データに基づいて決定される、システム。
【請求項１１】
前記携帯型装置はカメラを含み、前記ファイル内容は画像または画像シーケンスを含む請求項１０に記載のシステム。
【請求項１２】
前記無線受信機は第２の携帯型装置の一部であり、前記第１の携帯型装置は前記ファイル内容とともに時間情報を提供する請求項１０または１１に記載のシステム。
【発明の詳細な説明】
【技術分野】
【０００１】
本発明は、ファイル作成方法に関し、特にファイル内容に位置情報をスタンプすることに関する。
【背景技術】
【０００２】
全地球位置特定システム（Global Positioning System）は、ますます多くの家庭用携帯型製品に使用されるようになってきている。しかし、ＧＰＳシステムは、携帯型装置内に重要な処理機能を必要とする。さらに、立て込んだ地域では上空の見通しが悪い場合が多く、ＧＰＳ信号を常時取得できるわけではない。
【０００３】
全体的な信頼性を向上させられるように、ＧＰＳデータを他の位置特定システムのデータで補うことが知られている。例えば、上記ＧＰＳシステムをさらに堅牢にするために、正確性で僅かに劣る一時的な位置特定システムとして、移動電話基地局信号に基づく三角測量を採用することができる。
【０００４】
位置特定システムとして機能する位置ビーコン・データベースを提供することが既に提案されている。そのビーコンがＷｉＦｉアクセス・ポイント（ＡＰ）である場合、そのようなデータベースは、それらのＭＡＣアドレスと、算出されたＡＰの推定位置と、場合によってはそれらの電力プロファイル、すなわちそのＡＰ周辺における様々な位置でどの程度の信号強度が期待できるかとを含む。通常、このデータベースは、いわゆるウォードライブにより導出される。
【０００５】
ユーザが位置特定を要求した場合、特にＧＰＳのような代替手段が使用不可能な場合は、このようなデータベースが使用される。
【発明の概要】
【発明が解決しようとする課題】
【０００６】
一部のアプリケーションでは位置特定が望まれるが、それはリアルタイムの位置の特定のためではなく、特定のイベントが発生した位置を記録するためである。この１つの主要な例が、いわゆる写真の「ジオタグ」である。これは、画像ファイルへの位置識別情報の関連付けを可能にするために使用される。当然ながら、これは、写真が撮影された場所を記録できるためなど、携帯型カメラにとっては最も重要なことである。しかし、これに伴う処理は、カメラの価格および電力消費量を著しく高める可能性があり、これらの問題に対処することが求められている。
【課題を解決するための手段】
【０００７】
本発明によれば、ファイル作成方法において、
特定の位置および時刻に携帯型装置を使用してファイル内容を作成するステップ、
上記特定の位置および時刻に上記携帯型装によって検出可能な無線通信装置からデータを入手し、それによりデータの１つの集合を入手するステップであって、データの上記集合は、上記無線通信装置を識別するか、またはその識別を可能にするステップと、
時間依存データベースを使用して上記特定の位置を決定するための後段の解析を可能にするために、データおよび時刻の上記集合を上記ファイル内容に関連付けるステップ
を含む方法が提供される。
【０００８】
本方法は、検出可能な無線通信装置からのデータを単に記録するために携帯型装置を使用し、このデータは、その時点での位置を導出するために後段で使用することができる。これにより、低価格の位置特定システムであり、携帯型装置自体に低い処理電力しか必要としない位置特定システムが提供できる。
【０００９】
時間依存データベースは、通信装置を可能にする。
【００１０】
無線通信装置は地上装置であり、好ましくは短距離、すなわち５００メートル未満、より典型的には２００メートル未満の範囲の装置である。
【００１１】
データの上記集合は、例えば検出された無線通信装置の装置識別情報（例えばＭＡＣアドレス）の集合を含む場合がある。あるいは、データの上記集合は、検出された無線通信装置の装置識別情報の集合を特定するために解析できるデータ含む場合がある。これは、携帯型装置内のデータからＭＡＣアドレスを読むことを必要とせずに、通信装置のＩＦ（中間周波数）データを記録することであってよい。
【００１２】
ファイル内容の作成は、例えば画像を取り込むこと、および対応する画像ファイルを保存することを含む。これは、写真またはビデオ・クリップを含む場合がある。本発明は、しかし、文書ファイルのような非画像ファイルに適用することができる。例えば、別の更新が実行された位置は重要である場合がある。
【００１３】
本方法は、時刻および日付を記録し、それらをファイル内容に関連付けるステップさらに含むことができる。さらに、無線通信装置の送信の信号強度、信号対雑音比、ドップラー、および誤り率の１つまたは複数を記録し、ファイル内容に関連付けることができる。これにより、後段のより正確な位置特定が可能となり得る。
【００１４】
本発明は、位置スタンプ方法であって、
請求項１から７のいずれか１項に記載の方法を使用してファイルを作成するステップ、
上記ファイル内容に関連付けられた上記時刻に、上記関連付けられた識別情報に基づいて位置を導出するために、時間依存データベースを使用して上記関連付けられた識別情報を解析するステップ、および
上記ファイル内容および上記導出された位置を含むファイルを作成するステップも含む。
【００１５】
本方法は、関連付けられた識別情報の集合を、ファイルに添付するための位置に変換する。この解析は、家庭用ＰＣ、サーバ、または携帯型装置でさえ行えるが、携帯型装置が電池による駆動中に行う必要はない。
【００１６】
本発明は、ファイル作成システムにおいて、
特定の位置でファイル内容を作成するための携帯型装置と、
無線通信信号を検出し、上記特定の位置で上記携帯型装によって検出可能な無線通信装置からデータを入手し、それによりデータの１つの集合を入手するための無線受信機であって、データの上記集合が上記無線通信装置を識別するかまたはその識別を可能にする無線受信機と、
時間依存データベースを使用して上記特定の位置を決定するための後段の解析を可能にするために、データと時刻の上記集合を上記ファイル内容に関連付けるためのプロセッサとを含むシステムも提供する。
【００１７】
このシステムは、上記ファイル作成方法を実施する。上記携帯型装置はカメラを含むことができ、上記ファイル内容は画像または画像シーケンスを含む。
【００１８】
本発明は、位置スタンプ・システムであって、
本発明のファイル作成システム、および
ためのプロセッサ、
上記ファイル内容に関連付けられた上記時刻に、上記識別情報に基づいて位置を導出するために、時間依存データベースを使用して上記関連付けられた識別情報を解析し、
上記ファイル内容および上記導出された位置を含むファイルを作成するための
プロセッサ
を含むシステムも提供する。
【００１９】
一変形形態は、サウンディング（すなわち、ビーコンを求める走査、検出されたビーコンとその走査の時刻および日付を記録すること）を定期的に実行する携帯型装置（または第２の携帯型装置）である。これにより、ファイル作成のようないかなるタイム・スタンプされたイベントでも、そのイベントに時間的に近いサウンディングと照合することが可能になる。
【００２０】
次に、本発明の実施例を添付の図面を参照しながら詳細に説明する。
【図面の簡単な説明】
【００２１】
【図１】本発明のシステムの一例を示す図である。
【発明を実施するための形態】
【００２２】
本発明は、携帯型装によって検出可能な無線通信装置の識別情報（またはそれらの識別情報を導出するために使用することのできる他の情報）が記録され、その位置を決定するためにそれら識別情報が後段で使用されるファイル作成方法を提供する。
【００２３】
図１は、本発明のシステムを示す。カメラ１０として示される携帯型装置は無線受信機能を有しており、送信地域１４ａから１４ｄの４つのＡＰに囲まれている。範囲１４ｂと１４ｄの通信装置は、その位置で携帯型装置により検出可能であり、それらは装置識別情報の１つの集合を形成している。データベースは、本実施例では遠隔サーバ１２として提供されており、無線通信装置に関する識別情報（および任意で他の情報）を記憶する。この情報は、定義された参照位置または他の位置から検出可能となることが知られている装置を識別することができ、その装置に関する他の情報を記憶することができる。
【００２４】
サーバは、携帯型装置の位置を決定するために、データベースの内容を使用して識別情報の集合を解析するためのアルゴリズムを実施する。
【００２５】
上述のように、位置特定を得るためにＷｉＦｉ  ＡＰのデータベースを使用することができる。通常、位置を見つける処理は以下の通りである。
【００２６】
（ｉ）観測可能なアクセス・ポイントを求めて走査する、
（ｉｉ）データベース内のそれらＡＰに関する参照データを検索する、および
（ｉｉｉ）例えば三角測量によってＡＰ位置データを組み合わせることにより、推定ユーザ位置を導出する。
【００２７】
走査データを使用するこの方法は、本発明のシステムにも採用することができる。
【００２８】
本出願人によって、代替方法が提案されている（しかし、公開はされていない）。これは、複数の参照位置から検出可能な無線通信装置の識別情報を記憶するデータベースを使用して、識別情報の１つの集合を解析することを含んでいる。データベースは、従来技術の方法にあるようにウォードライブの観測結果を含んでいる。しかし、携帯型装置の位置は、検出されたビーコンの推論された位置ではなく、参照位置（すなわち、ウォードライブの読取りが行われた位置）の解析と処理とに基づいて導出される。
【００２９】
別の方法では、システムが運用可能になる前に参照情報を収集する必要がある。一実施例では、ビーコンの観測を獲得するために、補助的な位置特定機能がウォードライブ中に使用される。観測の時刻および日付、緯度、経度、高度、ＭＡＣアドレス、信号強度、信号対雑音比、信号誤り率、信号ドップラー（ドップラーの大きなシフトは、通過中の携帯ルータ、例えば通過中の電車内にあるルータを示すか、あるいはユーザが電車に乗っている可能性を示す）などの様々なデータ項目が記録される。場所は、以下の項目から知ることができる。
【００３０】
（ｉ）ユーザによる装置の通常の使用中に入手される、ＧＰＳベースの位置特定、
（ｉｉ）専用「ウォードライブ」からの、ＧＰＳベースの位置特定、
（ｉｉｉ）ユーザ入力、
（ｉｖ）既に識別されたビーコンのオブザベーションからの位置特定、
（ｖ）周知の位置からの距離および方向など、他の情報からの干渉。
【００３１】
データベースは、データの１つまたは複数の情報源、すなわち参照情報を収集するために上記方法のどれが使用されたかを含むことができる。任意で、推定位置の不確実性を推定し、記録してもよい。不確実性は、ＧＰＳ位置特定の場合には小さく、または位置推定の別の方法よりは大きい場合がある。
【００３２】
参照情報からデータベースが生成されるが、ここでもまた任意で不確実性情報が加えられる。このデータベースは、携帯型装置自体の中の純粋にそれ独自の走査結果由来であってよいが、あるいは（より好ましくは）データベース情報は、上記実施例のようにサーバ上のデータベースと共用される。この処理は同様に装置上で、またはサーバ上で実行することができる。
【００３３】
参照情報は、データベースを形成する前または後に任意で圧縮することができる。
【００３４】
ユーザは、未知または不確実な位置にいる場合、ビーコンを観測するために走査を単に実行してシステムを操作する。観測された通信装置（「ビーコン」）データがデータベースと照合される。
【００３５】
様々なアルゴリズムが可能である。しかし、本開示に特有のすべてのアルゴリズムは、位置特定、典型的には緯度、経度および高度として位置特定を示すが、任意で不確実性の推定もそれに加えられる。任意で、複数の出力が、例えば最も適した位置と共に、検索位置が特定される信頼性が高まる、より広範な領域と共に提供されてもよい。
【００３６】
第１の実施例では、アルゴリズムは、装置によって観測されるビーコンが、参照走査（すなわち、ウォードライブ）から観測されるビーコンに対応する、１つまたは複数の位置または位置領域を発見する。したがって、位置は、同じビーコン識別情報の集合を有する参照位置に基づいて選択される。ビーコンは常に活動中であるわけではないので、完全一致は位置特定の成功に必須ではない。したがって、照合アルゴリズムは、データベース内の参照位置から観測された装置と走査によって観測された装置の間でさらにインテリジェントな比較を実行することができる。
【００３７】
撮影後何週間も、あるいは何箇月もジオタグを付けるために写真を提出することができる。このような場合、ＷｉＦｉの景色は、前のエポックにおける景色のように歴史的時点でのものではなく最新時点でのものなので、あまり関心を引かない。１つの選択肢は、その写真が撮影されたほぼそのエポックにビーコン参照データをカバーする導出されたデータベースを使用することである。これよりも後の場面で現れたどのビーコンも、またはこれよりも後の場面から消えてしまうか移動してしまったどのビーコンも、位置特定を入手する助けにはならず、位置特定を入手する処理に逆効果になる場合があり、この方法で取り除かれる。別の選択肢は、エポック外ビーコンのデータを限定的な方法で位置特定アルゴリズムに考慮することができる。携帯型装置が観測しないビーコンに関するエポック外ビーコンのデータは、無視しても差し支えない。携帯型装置が観測したビーコンに関するエポック外ビーコンのデータは、同様に拒絶されないようにエポック内データと十分に一致させる必要があるが、このような状況は、装置としてのビーコンが最初からずっと存在しており、写真撮影時にスイッチが入れられ、データベースに供給した携帯型装置が配置された時はスイッチが入れられなかった場合に、生じる。このような場合が識別されると、エポック外ビーコンは、前のエポックもカバーするように、データベース内でその有効期間を延長する。
【００３８】
本発明は、データベース内にこの時間依存を提供し、ビーコン・データ並びにそのデータが取り込まれた時刻を使用して、特定の位置を決定するための後段の解析を可能にする。
【００３９】
一度位置が確定されると、それをユーザに提示できる方法はいくつかある。位置特定はアプリケーションまたはユーザに提供することができる。サーバによる実施態様の場合、その位置特定はサーバから装置に返送されるか、または別のサービスに伝達されることになる。これは次いで、例えば地図、衛星写真、地形モデル、または他の位置情報サービス上に位置を表示することに繋がる。
【００４０】
ユーザまたはアプリケーションは、位置特定を洗練するために、または追加情報に鑑みて位置特定を変更するために位置特定と対話することができる。このような変更については、任意で、プロセッサ・データベースに報告を返すことができる。
【００４１】
位置特定の次に（およびユーザまたはアプリケーションによる任意の更新の次に）、いかなる追加情報および観測結果でも任意でデータベースに追加することができるが、ここの時点では検索の位置が分かっているので、この結果は有用なビーコン走査とみなすことができる。したがって、データベースは動的に最新に維持される。
【００４２】
位置情報を写真（またはビデオ）に関連付けるために、カメラの中で上記の位置決定方法を使用することができる。この写真のジオタグに対する関心が高まっている。現在、多くの写真には、それが撮影された位置を知っている撮影者が手動でタグを付けている。他の方法は、カメラ内でローカルに、または記憶されたＩＦデータから後でＧＰＳ位置特定を実行することを伴う。
【００４３】
画像ファイルまたは写真クリップに位置スタンプを添付するために上記の方法を使用することができるが、ＧＰＳシステムは必要としない。ＧＰＳアンテナおよびＧＰＳ  ＲＦフロントエンドを使用するのではなく、本発明の方法は（ＧＰＳ設備の使用は除外しないが）、ＷｉＦｉアクセス・ポイントおよび／または他のビーコン・ラジオ信号を検出するようカメラを装備することだけを要求する。これにより位置特定をもたらす別法が提供されることが理解されよう。
【００４４】
上記実施例では、携帯型装置はファイル作成とビーコン・データの取込みの両方を実行する。そうではなく、ファイル作成装置（例えば、カメラ）は時刻およびデータを記憶することだけを必要とし、別個の装置が定期的にビーコンのデータを記憶する唯一の機能を実行することができる。この別個の装置はしたがって、定期的にサウンディング（すなわち、ビーコンを求める走査、検出されたビーコンとその走査の時刻および日付を記録すること）を実行する。これにより、カメラによるファイル作成のようないかなるタイム・スタンプされたイベントでも、そのイベントに時間的に近いサウンディングと照合することが可能になる。
【００４５】
上述のように、ＧＰＳ信号は常に十分な品質を伴うとは限らない。屋内では、壁の厚さと使用される材料（完全に不伝導性の金属）次第で、ＧＰＳ信号は弱いか、またはほとんどないに等しい。一部の信号は、位置特定の品質を低下させる反射経路を介して侵入する場合がある。
【００４６】
市街地の環境では、上空の見通しが非常に限られている場合があり、十分な衛星が認識できない場合がある。一部の衛星からの信号は、反射により、恐らくはいくつかの経路を介して、存在する場合がある。このすべてが、（信頼性のある）位置特定を得る能力を妨げている。しかし、ＧＰＳ位置特定が困難か不可能な場合、ＷｉＦｉアクセス・ポイントからのビーコン信号のようなビーコン信号は豊富にある場合がある。場合によってはＷｉＦｉインターフェースがデジタル・カメラに標準装備されており、その場合は特別なハードウェアは必要とされない。上記で説明した方法を使用すると、特にカメラまたは付属品内で位置特定が実行される場合には、ＧＰＳによる方法と比較してエネルギー消費量を低減することができる。
【００４７】
したがって、本発明は、ＧＰＳ位置特定が困難な場合にはアクセス・ポイント検出に基づく位置特定を提供することによりＧＰＳシステムを強化するためにも使用できることが理解されよう。
【００４８】
ユーザが写真を撮影している際に、その写真を含む画像ファイルが作成される。ルータのＭＡＣアドレス（および任意で他の関連データ）を求めて走査が実行されるが、それらのＭＡＣアドレスは、記憶され、関連する写真の画像ファイルにリンクされる。時刻および日付も記録することができる。
【００４９】
上記方法は、画像ファイルに添付される特定位置を入手する。この方法は、同じように、ビデオ・クリップおよび独自の識別情報を有する代替ラジオ／マイクロ波ビーコンにも適用可能である。
【００５０】
上記の一般的な例に関して、ＭＡＣアドレス（および／またはＧＰＳ  ＩＦデータ）の処理は、ローカル・データベースが使用可能な場合にはカメラ内でローカルに実行することができ、データベースがＰＣにローカルで使用可能な場合には自宅のＰＣで実行することができ、またはサーバに接続されていれば自宅のＰＣで実行することができる。そうではなく、その処理は、例えばＷｉＦｉアクセスを使用してサーバに直接的に接続するカメラにより、そのサーバで全体的に遠隔に実行されてもよい。
【００５１】
ＧＰＳと短距離ビーコン走査とを組み合わせるシステムでは、ビーコンを求める走査をＩＦ  ＧＰＳの捕捉開始と正確に同時刻に実行することができる。一部のビーコンは、ＧＰＳ位置特定の支援として次に有用になる可能性のある、正確なタイミング情報を提供することができる。
【００５２】
位置特定情報は、堅牢性を向上させるために共有される場合がある。例えば写真１は、ＧＰＳ特定位置の提供と、他の場合ならＭＡＣアドレス参照データベースには未知のあるＭＡＣアドレスの検出とを促すことができる。次の写真２がＧＰＳ特定位置を入手できないがそのＧＰＳ特定位置または写真１の同じＭＡＣアドレスの一部を確認する場合は、その処理の中で写真１の情報が支援することができる。既に説明したように、ＭＡＣアドレス参照データベースは写真１からのＭＡＣアドレスで更新できるが、この更新は夜間の別のバッチ処理であってよい。しかし、１人のユーザからの一群の写真を処理する際は、ローカル処理および提供された写真２に関する位置特定で新ＭＡＣアドレスを使用することができる。第１の通過で特定不可能な写真は、他の写真が処理された場合でも再度通過できるので、これは提示される写真の順番に関わらず実施できる。
【００５３】
この概念は、ユーザが屋内にいる時にそのユーザの位置を特定するために、ＰＣで使用することができる。確かに、本発明は、位置特定が要求されている状況において、ビーコンを検出できる装置であって、アクセス可能なデータベースに対してオブザベーションを処理できる装置をユーザが有するいかなる状況にも適用できる。ユーザは、歩行者、ジョギングする人物などを含むことができる。
【００５４】
上述のように、ビーコン・ベースの位置特定システムは、衛星ビーコンではなく地上ビーコンを使用する。好適な実施態様はＷｉＦｉノード（すなわち、ＡＰ）のような短距離ビーコンを使用するが、これらのビーコンはいかなる形式であってもよい。一般的に、家庭環境では２００メートルより短い範囲のビーコンが使用され、建築物環境では通常は１００メートルより短い範囲、場合によっては５０メートルより短い範囲のビーコンが使用される。狭い地理的地域では、本発明の照合処理を支援する多くのそのようなビーコンが見つかる場合がある。
【００５５】
好適な実施態様はそれらの短距離ビーコンを使用するが、本発明の原理は、移動電話セル（セルＩＤ形式の識別情報を有する）、ラジオ／テレビ・マスト信号、ＤＡＢ信号、ＷｉＭａｘ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）信号、Ｂｌｕｅｔｏｏｔｈ信号およびＺｉｇｂｅｅ信号のような他の種類の通信装置に適用することができる。無線通信装置は通常はｒｆ装置だが、ここでも本発明の原理は、ＩＲ信号および音波信号のような他の種類の信号に適用することができる。これらはすべて、送信側通信装置に物理的（すなわち、有線）接続を必要とせずに信号が携帯型装置で受信できることを単純に示す「無線」という用語に含まれることを意図している。
【００５６】
本発明は、別の種類の装置、すなわち上記で概要を述べた別の種類の装置の混合で実施できる。
【００５７】
当業者には、様々な変形形態が明らかになろう。
【図１】
0005591796.tif 000002